(57)【要約】      （修正有）【課題】集電子の交換時に基端部を再利用可能な電着塗装用吊り金具を提供する。【解決手段】搬送装置に連結されて移送されるとともに、電着塗装用ハンガーが吊下げられる電着塗装用吊り金具であって、搬送装置に沿って延びる給電レールと接触する集電子１７の先端部１８と基端部１９とを、それぞれ別部材により構成した。先端部１８と基端部１９とが、第１固定ネジ２０により接続され、基端部１９が、第２固定ネジ２１により吊り金具本体に固定される。【選択図】図５
0003203224.tif 000002
【実用新案登録請求の範囲】
【請求項１】
搬送装置に連結されて移送されるとともに、電着塗装用ハンガーが吊下げられる電着塗装用吊り金具であって、
前記搬送装置に沿って延びる給電レールと接触する集電子の先端部と基端部とを、それぞれ別部材により構成したことを特徴とする電着塗装用吊り金具。
【請求項２】
前記先端部と基端部とが、第１固定ネジにより接続されていることを特徴とする請求項１記載の電着塗装用吊り金具。
【請求項３】
前記基端部が第２固定ネジにより吊り金具本体に固定されていることを特徴とする請求項１または２に記載の電着塗装用吊り金具。
【考案の詳細な説明】
【技術分野】
【０００１】
本考案は、電着塗装用ハンガーを吊下げて移送される電着塗装用吊り金具に関するものである。
【背景技術】
【０００２】
電着塗装は、被塗装体の表面処理を行う前処理工程と、被塗装体を電着槽内で搬送しつつ、被塗装体と電着槽との間に直流電圧を印加することによってその表面に塗料を電着させる電着工程と、被塗装体を洗浄する洗浄工程とを順に行い、被塗装体に塗膜を形成するものである（特許文献１）。また被塗装体は、導電性の電着塗装用ハンガーに形成された複数の爪部に係止されて移送されることが通常である。図１に示すように、この電着塗装用ハンガー３１は、その先端に形成されたフック３２により導電性の電着塗装用吊り金具３３に吊り下げられており、さらにこの電着塗装用吊り金具３３が連結部３４を介して搬送装置であるコンベア３５に取付けられている。これにより、電着塗装用ハンガー３１の爪部に係止された被塗装体が各工程を経るようにして移送される。
【０００３】
そして、電着塗装用吊り金具３３が電着槽の上方を通過する電着工程では、コンベア３５に沿うように左右２本の給電レール３６が配置されており、電着塗装用吊り金具３３の左右端部に設けられた集電子３７の先端が給電レール３６にそれぞれ接触しつつ移動することで、被塗装体に直流電圧を印加できるものとしている。
【０００４】
ここで、集電子３７は電着工程で常に給電レール３６と接触することから、その先端部は次第に摩耗し、定期的な交換が必要となる。しかし、従来は集電子３７の基端部を固定ネジ３８により電着塗装用吊り金具３３に固定する構造であるため、先端部のみが摩耗し、基端部が通常使用に耐え得る場合であっても集電子３７ごと交換せざるを得ないという問題があった。
【先行技術文献】
【特許文献】
【０００５】
【特許文献１】公開実用平２−１４０９７８号公報
【考案の概要】
【考案が解決しようとする課題】
【０００６】
本考案の目的は前記した従来の問題点を解決し、集電子の交換時に基端部を再利用可能な電着塗装用吊り金具を提供することである。
【課題を解決するための手段】
【０００７】
上記課題を解決するためになされた本考案は、搬送装置に連結されて移送されるとともに、電着塗装用ハンガーが吊下げられる電着塗装用吊り金具であって、前記搬送装置に沿って延びる給電レールと接触する集電子の先端部と基端部とを、それぞれ別部材により構成したことを特徴とするものである。
【０００８】
請求項２記載の発明は、請求項１記載の電着塗装用吊り金具において、前記先端部と基端部とが、第１固定ネジにより接続されていることを特徴とするものである。
【０００９】
請求項３記載の発明は、請求項１または２記載の電着塗装用吊り金具において、前記基端部が第２固定ネジにより吊り金具本体に固定されていることを特徴とするものである。
【考案の効果】
【００１０】
本考案に係る電着塗装用吊り金具は、搬送装置に沿って延びる給電レールと接触する集電子の先端部と基端部とを、それぞれ別部材により構成したものである。これにより、集電子の先端部が摩耗した場合には、先端部のみを交換することができるため、基端部が通常使用に耐えうる場合には基端部を再利用することができる。
【００１１】
また請求項２に係る発明のように、第１固定ネジにより先端部と基端部とを接続し、また請求項３に係る発明のように、第２固定ネジにより基端部を吊り金具本体に固定するものとすることで、各部材の着脱が容易となる作用効果を奏する。
【図面の簡単な説明】
【００１２】
【図１】従来の電着工程を示す斜視図である。
【図２】本考案の電着塗装用吊り具を用いた電着工程を示す図である。
【図３】本考案の電着塗装用吊り具の側面図である。
【図４】本考案の電着塗装用吊り具の正面図である。
【図５】本考案の電着塗装用吊り具の要部を示す斜視図である（板材１０省略）。
【考案を実施するための形態】
【００１３】
以下に本考案の好ましい実施形態を示す。
図２に示すように、導電性の電着塗装用ハンガー１には複数の爪部２が形成されており、この爪部２にそれぞれ被塗装体３が係止されている。電着塗装用ハンガー１の上端にはフック４が形成されており、このフック４が電着塗装用吊り金具５に引っ掛けられる。本考案は、特にこの電着塗装用吊り金具５に関するが、その詳細は後述する。電着塗装用吊り金具５は、さらに搬送装置であるコンベア６に連結部１６を介して連結されており、これにより図２中の矢印に示すように電着塗装用ハンガー１が移送される。
【００１４】
図２に示すように、電着塗装用吊り金具５が電着槽７の上方を通る電着工程では、電着塗装用吊り金具５の左右端部に形成された集電子１７が、コンベア６に沿って設けられた平行な左右２本の給電レール８に接触した状態で移送される。これにより、被塗装体３を陰極とし、電着槽７または電着塗料９を陽極とした上で直流電圧を印加して、被塗装体３の表面に塗料を電着させることができるものとしている（図２中の被塗装体３黒色塗りつぶし箇所）。
【００１５】
図３及び図４には、電着塗装用吊り金具５の詳細を示す。この電着塗装用吊り金具５は、２枚の金属製の板材１０、１１をボルト１２により連結し、板材１０、１１と直交する金属製の板材１３を板材１０に溶接して構成した導電性の吊り金具本体１４を有している。吊り金具本体１４の下端には略コ字状の係合部１５が形成されており、この係合部１５には、前述した電着塗装用ハンガー１のフック４が係止される。また、吊り金具本体１４の上端には、２枚の板状部材を組み合わせた連結部１６が進行方向の前後２箇所に設けられており、この連結部１６が前述のコンベア６に連結されることにより、吊り金具本体１４が移送されることとなる。
【００１６】
図５に示すように、吊り金具本体１４の左右端部には、図２を用いて説明した給電レール８に接触する２つの集電子１７が設けられている。ここで本実施形態では、各々の集電子１７の先端部１８と基端部１９とをそれぞれ別部材の金属板により構成するものとしている。より詳細には、先端部１８は金属板の先端をわずかに折り曲げるようにして形成されており、また基端部１９はバネ鋼を断面略く板状に湾曲させるようにして形成されており、両者が２つの第１固定ネジ２０によって接続されている。なお、基端部１９はそれぞれ２つの第２固定ネジ２１によって吊り金具本体１４の板材１１に固定されている。
【００１７】
以上のように、給電レール８と接触する集電子１７の先端部１８と基端部１９とを、それぞれ別部材の金属板により構成することで、集電子１７の先端部１８が摩耗した場合には、固定ネジ２０を外して先端部１８のみを交換することができるため、基端部１９が通常使用に耐えうる場合には基端部１９を再利用することができるものとなる。これにより、従来技術と比較して低コストを実現することができる。また、従来は一枚の金属板を湾曲させて集電子３７を形成していたため、経年によりへたりが生じる問題があったが、本考案のように基端部１９をバネ鋼により構成することで、給電レール８接触時に弾性変形するためへたりを防止することができるものとなる。
【００１８】
さらに、第１固定ネジ２０により先端部１８と基端部１９とを接続するものとし、また第２固定ネジ２１により基端部１９を吊り金具本体１４に固定するものとすることで、各部材の着脱が容易となる作用効果を奏する。なお、第１固定ネジ２０及び第２固定ネジ２１はそれぞれ２つ用いるものとすることで、従来のように４つの固定ネジ３８により集電子３７を電着塗装用吊り金具３３に固定する構造と比較して、集電子１７の着脱作業性が高いものとなる。
【００１９】
また、前記の第１固定ネジ２０及び第２固定ネジ２１は、電着塗料等が固着した際に取り外しがし易いよう、径大としておくことがより好ましい。
【符号の説明】
【００２０】
１  電着塗装用ハンガー
２  爪部
３  被塗装体
４  フック
５  電着塗装用吊り金具
６  コンベア
７  電着槽
８  給電レール
９  電着塗料
１０  板材
１１  板材
１２  ボルト
１３  板材
１４  吊り金具本体
１５  係合部
１６  連結部
１７  集電子
１８  先端部
１９  基端部
２０  第１固定ネジ
２１  第２固定ネジ
３１  電着塗装用ハンガー
３２  フック
３３  電着塗装用吊り金具
３４  連結部
３５  コンベア
３６  給電レール
３７  集電子
３８  固定ネジ
【図１】
0003203224.tif 000003
【図３】
0003203224.tif 000004
【図４】
0003203224.tif 000005
【図５】
0003203224.tif 000006
【図２】
0003203224.tif 000007